(57)【要約】【課題】ＬＥＤを集魚灯の光源として利用することの利点を十分に活用して、簡単な構造でありながら、各種魚場状況に適用した良好な漁獲がなし得る集魚灯を提供する。【解決手段】魚場において、作業員が発光駆動制御回路をオンにすると、ＣＰＵ１２は、メモリ１４から、魚の種類，魚場（穏やかな状態か荒れている状態かなど）の状況，天候（晴天か雨かなど）の違いにより異なるように設定されている、赤色ＬＥＤ（Ｒ）８と緑色ＬＥＤ（Ｇ）９と青色ＬＥＤ（Ｂ）１０との発光設定データを読み出し、現状に最も適合した設定を選択する。そして、その設定により、駆動回路１５にて赤色ＬＥＤ（Ｒ）８と緑色ＬＥＤ（Ｇ）９と青色ＬＥＤ（Ｂ）１０との発光駆動を行わせる。赤色ＬＥＤ（Ｒ）８と緑色ＬＥＤ（Ｇ）９と青色ＬＥＤ（Ｂ）１０からのＲ，Ｇ，Ｂ光の色の混合により、ＬＥＤユニット５全体として設定された色を発光する。【選択図】図５
2005095123.tif 000002
【特許請求の範囲】
【請求項１】
発光ダイオードを光源とする集魚灯であって、前記発光ダイオードを、赤色ダイオードと緑色ダイオードと青色ダイオードとのダイオードユニットにて構成し、複数個の前記ダイオードユニットを、防水構造でかつ透光性を有するカバー体に内設し、さらに前記赤色ダイオードと前記緑色ダイオードと前記青色ダイオードとの発光を制御して前記ダイオードユニットの発光色を変える手段を備えたことを特徴とする集魚灯。
【請求項２】
発光ダイオードを光源とする集魚灯であって、前記発光ダイオードを単色光ダイオードとし、防水構造でかつ透光性を有する着色されたカバー体にて覆ったことを特徴とする集魚灯。
【請求項３】
前記カバー体を複数個連ねて連結して、水中に垂下させる構造にしたことを特徴とする請求項１または２記載の集魚灯。
【請求項４】
前記カバー体を複数個連ねて連結して、連結端部を、水面上に配されるフロート部材に連結したことを特徴とする請求項１または２記載の集魚灯。
【請求項５】
請求項１または２記載の集魚灯における前記発光ダイオードを、船に搭載した風力発電機による発電電力にて駆動することを特徴とする漁船における集魚システム。
【請求項６】
前記風力発電機の風車部分を、船首と船尾との少なくとも一箇所に設置したクロスフロー風車にて構成したことを特徴とする請求項５記載の漁船における集魚システム。
【発明の詳細な説明】
【技術分野】
【０００１】  本発明は、イカ，サンマなどの光に反応して集まる魚類の性質を利用して、それらの魚群を集めるために用いられる集魚灯、および漁船における集魚システムに関するものである。
【背景技術】
【０００２】  従来、漁業において集魚灯を搭載した漁船による漁法はごく一般的であり、各種の魚類の採取に採用されている。【０００３】  集魚灯の光源としては、現在、一般的にメタルハライド灯が多く用いられているが、近年、特許文献１に記載されているように、発光ダイオード（ＬＥＤ）を光源として用いる集魚灯が提案されている。
【特許文献１】特開２００３−１３４９６７号公報
【発明の開示】
【発明が解決しようとする課題】
【０００４】  現在、集魚灯では、前記のように白熱灯に比べて電気／光変換効率の良いメタルハライド灯が光源として用いられ、光源の電源として軽油あるいは重油を燃料とする発電機が使用されているが、特許文献１にも記載されているように、各種の課題を有している。【０００５】  例えば、電気／光変換効率の良いメタルハライド灯を用いているといっても、前記電源として発電機の燃料費が、１漁船平均で年間数百万円かかるとされており、その経済的負担が大きいという問題がある。【０００６】  またメタルハライド灯は、強力な紫外線を放出しており、漁船にて働く作業員への健康への悪影響が考えられ。さらに、前記電源として発電機の燃料として用いられる軽油あるいは重油の燃焼時に発生する炭化物，窒化物などによる地球環境への影響も問題である。【０００７】  そこで、特許文献１に記載されているように集魚灯の光源として、低電力で発光する青色系ＬＥＤを用いることは、前記の諸問題を解決するということで、１つの有効な提案である。【０００８】  しかし、特許文献１に記載の発明では、波長領域４００ｎｍ〜５００ｎｍの青色系ＬＥＤが漁に最適であるとしているが、実際の漁における状況変化に対応した集魚灯の発光条件についてまで具体的に言及されていない。【０００９】  さらに、特許文献１に記載の発明では、ＬＥＤを使用することによる省電力化については有効であるといえるが、電源の種類までは考慮されておらず、従来通り、軽油あるいは重油を用いる発電機であれば、前記のような地球環境上の課題は残ることになる。【００１０】  そこで本発明の目的は、前記従来の課題を解決するため、ＬＥＤを集魚灯の光源として利用することの利点を十分に活用し、かつ簡単な構造でありながら、各種魚場状況に適用した高漁獲を可能にする集魚灯、および、その集魚灯を用いて地球環境にも考慮した漁業を行える漁船における集魚システムを提供することにある。
【課題を解決するための手段】
【００１１】  前記目的を達成するため、本発明の集魚灯は、ＬＥＤを光源とする集魚灯であって、前記ＬＥＤを、赤色ＬＥＤと緑色ＬＥＤと青色ＬＥＤとのユニットダイオードにて構成し、複数個の前記ユニットダイオードを、防水構造であったり、防水処理が施されており、かつ透光性を有するカバー体に内設し、さらに前記赤色ＬＥＤと前記緑色ＬＥＤと前記青色ＬＥＤとの発光を制御して、前記ユニットダイオードの発光色，発光量を変える手段を備えたものである。
また本発明の集魚灯は、単色光ＬＥＤの周囲を、防水構造であったり、防水処理が施されており、かつ透光性を有する適宜選択した着色カバー体にて覆ったものである。【００１２】  前記のような構成にしたことにより、魚の種類，魚場の状況，天候などに応じて、ＬＥＤの発光状態、すなわち発色状態，発光量を変えることができる。【００１３】  また、本発明の漁船における集魚システムは、集魚灯におけるＬＥＤを、船に搭載した風力発電機による発電電力を受けて駆動することを特徴とし、さらに、風力発電機の風車部分を、船首と船尾との少なくとも一箇所に設置したクロスフロー風車にて構成したものである。【００１４】  前記のような構成にしたことにより、本発明の前記集魚灯の効果に加えて、電源の発電のために化石燃料を用いることを止めて、自然の海上の風を利用したクリーンな発電にて漁が行うことができる。
【発明の効果】
【００１５】  本発明の集魚灯によれば、前記のように、魚の種類，魚場の状況，天候などに応じて、ＬＥＤの発色状態を変えることができ、その漁に適合した発光状態にすることにより、漁獲高の向上を図ることができる。【００１６】  また、本発明の漁船における集魚システムによれば、前記集魚灯の効果に加えて、電源の発電のために化石燃料を止め、風力発電によるクリーン発電によるＬＥＤ発光により漁を行うことができるため、地球環境および作業環境の良化に寄与することができるようになる。
【発明を実施するための最良の形態】
【００１７】  以下、本発明の実施形態を図面に基づいて説明する。
図１は本発明の実施形態を説明するための漁船全体を示す側面図、図２は図１の漁船を船尾方向から見た正面図であり、１は漁船本体、２と３は船首と船尾に設けられたクロスフロー型風力発電機（風力発電機の設置場所，設置数は限定されない）、４は多数のＬＥＤユニット５（後述する）からなる集魚灯、６は、多数の集魚灯４を、チェーンおよびチューブなどからなる連結体７により、吊り下げるようにして連ねて構成されている集魚灯ユニットである。【００１８】  図３は前記集魚灯の正面図であり、各ＬＥＤユニット５は、図４に示すように、それぞれ赤色ＬＥＤ（Ｒ）８と緑色ＬＥＤ（Ｇ）９と青色ＬＥＤ（Ｂ）１０とを集合することで構成されており、このＬＥＤユニット５が、防水処理が施されかつ透光性を有するカバー体１１内に複数個設置されて、１つの集魚灯４を構成している。本例では６個の各色ＬＥＤ８〜１０を用いているが個数は限定されない。【００１９】  図５は各ＬＥＤユニットの発光駆動制御回路の構成を示すブロック図であり、赤色ＬＥＤ（Ｒ）８と緑色ＬＥＤ（Ｇ）９と青色ＬＥＤ（Ｂ）１０とが１単位となって発光状態（発色，発光量）がコントロールされる。図５において、１２は駆動電源、１３はＣＰＵ（中央演算処理ユニット回路）、１４は各色の発光条件などのテーブルデータに基づく発光プログラムが格納されているＲＯＭなどのメモリ、１５は各ＬＥＤ８，９，１０の駆動回路である。【００２０】  前記駆動電源１２は、船首と船尾に設けられたクロスフロー型風力発電機２，３による発電動作（海上では凪などの特殊な時間帯以外には、風車を回転させるために十分な風が吹いている）、すなわち、海上の風を受けて回転する風車による発電動作によって電気チャージする構成の駆動電源構造になっている。【００２１】  また、駆動電源１２としては、洋上の十分な太陽光を利用する太陽電池を併設することも考えられる。【００２２】  前記構成の実施形態では、集魚灯４の発光源としてＬＥＤを用いたため、低電力にて高光量の光源となり、省電力化を図ることができ、さらに、その駆動電源１２として、風力発電機２，３を用いたため、発電のためのランニングコストはきわめて低くなり、集魚灯４としての課題である低コスト化と環境問題への対応ができる。【００２３】  しかも、集魚灯の発光状態（発光量）および発色状態は、魚の種類，魚場（穏やかな状態か荒れている状態かなど）の状況，天候（晴天か雨かなど）等々によって異なるが、本実施形態では、図５に示す発光駆動制御回路を具備しているため、自動的に、あるいは状況判断した作業員による設定により、発光量および発色状態を適正にコントロールすることができるため、従来の集魚灯のように、ほぼ一条件の発光状態のみに設定されている集魚灯では望むことができない、漁獲高のアップにも寄与することになる。【００２４】  すなわち、魚場において、作業員が発光駆動制御回路をオンにすると、ＣＰＵ１２は、メモリ１４から現状に最も適合したＬＥＤ設定を選択する。
メモリ１４は、魚の種類，魚場（穏やかな状態か荒れている状態かなど）の状況，天候（晴天か雨かなど）の違いにより得られている総合的なデータに基づき、赤色ＬＥＤ（Ｒ）８と緑色ＬＥＤ（Ｇ）９と青色ＬＥＤ（Ｂ）１０の発光状態（発光量）および発色状態が設定されたデータを格納している。【００２５】  そして、その設定により、駆動回路１５にて赤色ＬＥＤ（Ｒ）８と緑色ＬＥＤ（Ｇ）９と青色ＬＥＤ（Ｂ）１０との発光駆動を行わせ、Ｒ，Ｇ，Ｂ光の色の混合により、ＬＥＤユニット５全体として各種の色を発光することができる。【００２６】  なお、集魚灯に発光色をつけるためには、図６に示すような集魚灯の構成にしてもよい。この例は、多数の単色光ＬＥＤ２０が周部に設置された断面円形状あるいは多角形状の筒状発光体２１の外周を、防水構造で透光性を有する着色された筒状カバー体２２にて覆うようにしてなる集魚灯２３である。また本例では、筒状カバー体２２の上下壁部２４は、強度面などからステンレス板（ＳＵＳ）にて形成している。【００２７】  また、前記構成の集魚灯４，２３は、例えば、図１，２に示す集魚灯ユニット６のように、連結具兼電源供給線としてのチェーンおよびチューブなどからなる連結体７により、複数個を吊り下げるようにして使用するが、図７に示すように、浮き部材であるフロート２５に単体の集魚灯４（２３）を設けたり、あるいはフロート２５に集魚灯ユニット６を吊り下げるようにすることも考えられる。
【産業上の利用可能性】
【００２８】  本発明は、イカ，サンマなどの光に反応して集まる魚類の性質を利用して、それらの魚群を集めるために用いられる集魚灯、および、その集魚灯を利用する漁船における集魚システムに適用され、特に発色効果を利用して魚群を集める集漁法として有効である。【００２９】  さらに、本発明の集魚灯と風力発電機とを共に実施することにより、環境問題に対応する漁船におけるシステムとして有効である。
【図面の簡単な説明】
【００３０】
【図１】本発明の実施形態を説明するための漁船全体を示す側面図である。
【図２】本実施形態における図１の漁船を船尾方向から見た正面図である。
【図３】本実施形態における前記集魚灯の正面図である。
【図４】本実施形態におけるＬＥＤユニットの説明図である。
【図５】本実施形態における各ＬＥＤユニットの発光駆動制御回路の構成を示すブロック図である。
【図６】本実施形態における集魚灯の変形例を示す斜視図である。
【図７】本実施形態における集魚灯の使用例の説明図である。
【符号の説明】
【００３１】１  漁船本体
２，３  クロスフロー型風力発電機
４，２３  集魚灯
５  ＬＥＤユニット
６  集魚灯ユニット
７  連結体
８  赤色ＬＥＤ（Ｒ）
９  緑色ＬＥＤ（Ｇ）
１０  青色ＬＥＤ（Ｂ）
１１  カバー体
１２  駆動電源
１３  ＣＰＵ（中央演算処理ユニット回路）
１４  メモリ
１５  各ＬＥＤの駆動回路
２０  単色光ＬＥＤ
２１  発光体
２２  筒状カバー体
２４  上下壁部
２５  フロート
【図１】
2005095123.tif 000003
【図２】
2005095123.tif 000004
【図３】
2005095123.tif 000005
【図４】
2005095123.tif 000006
【図５】
2005095123.tif 000007
【図６】
2005095123.tif 000008
【図７】
2005095123.tif 000009